(57)【特許請求の範囲】
【請求項１】
廃油と廃油吸収材とを混合し、スクリューコンベヤー、バケットエレベーター、ベルトコンベヤー等の機械式搬送装置による搬送及び２重のフラップダンパー、ロータリーフィーダ等のシール機能を有する機械式投入装置による投入が可能なハンドリング性に調整した廃油系固体燃料を、スクリューコンベヤー、バケットエレベーター、ベルトコンベヤー等の機械式搬送装置によって搬送し、セメント製造設備であるＮＳＰキルンのＲＳＰ式仮焼炉（「ＲＳＰ」は商標）に２重のフラップダンパー、ロータリーフィーダ等のシール機能を有する機械式投入装置を用いて投入し、該廃油系固体燃料をセメント製造用燃料として利用するにあたって、廃油系固体燃料の上記ＲＳＰ式仮焼炉への投入位置を、上部にバーナー付き燃焼炉が設けられ、該燃焼炉の下方に絞り部を介して燃焼炉の径より大径の仮焼炉本体が設けられているＲＳＰ式仮焼炉において、上記燃焼炉に設置されたバーナーの燃料出口の上方にあたる燃焼炉天井部とするとともに、該投入位置である燃焼炉天井部の直下であって、上記バーナーの燃料出口の上方にあたる燃焼炉内部に分散棒を設置し、該分散棒によって投入された廃油系固体燃料を燃焼炉内部において分散させることを特徴とする、廃油系固体燃料の利用方法。
【請求項２】
上記機械式投入装置の投入シュートが、廃油系固体燃料の投入角度が５７度以上となるように上記燃焼炉天井部に設置されていることを特徴とする、請求項１に記載の廃油系固体燃料の利用方法。
【請求項３】
上記廃油が、廃ワイヤソーオイル、オイルスラッジ、廃油再生残渣、廃切削油、廃研磨油、廃インク、廃溶剤、廃グリース、廃植物油、廃食用油のいずれか１種以上であることを特徴とする、請求項１又は２に記載の廃油系固体燃料の利用方法。
【請求項４】
上記廃油吸収材が、廃畳の破砕物、木材チップ、廃ポリマー、廃スポンジ、紙屑、各種汚泥のいずれか１種以上であることを特徴とする、請求項１〜３のいずれかに記載の廃油系固体燃料の利用方法。
【発明の詳細な説明】
【技術分野】
【０００１】
本発明は、廃油系固体燃料の利用方法に関するもので、特に廃油系固体燃料を容易に、しかも大量に燃料として利用する方法に関するものである。
【背景技術】
【０００２】
廃プラスチック、廃ゴム、或いは廃ワイヤソーオイル、廃切削油等の廃油は、高いエネルギーを有するため、廃棄物として焼却処分せずに、燃料として有効利用することが期待されている。
そこで、このような燃焼によって高エネルギーを発生する可燃性廃棄物は、近年、各種の燃焼炉の燃料として使用されつつある。
【０００３】
例えば、廃プラスチック等の可燃性廃棄物を燃料として利用する方法として、その破砕品をセメント焼成設備のロータリーキルンの窯前部からロータリーキルン内に空気流に乗せて吹き込んで燃焼させ、それにより、主燃料として使用している微粉炭の使用量を削減する技術が特許文献１或いは特許文献２に開示されている。
また、原油スラッジ、廃塗料、廃溶剤等の油泥と、所定の粒径に破砕した廃畳、木粉等のバイオマスと、有機質粉体とを所定の割合で混合し、得られた廃油系固体燃料を管路を介してセメントキルンの主燃料である微粉炭に代えて、或いは微粉炭と併用してバーナーから炉内に燃料として投入する技術が特許文献３に開示されている。
【０００４】
しかしながら、上記のようにセメント焼成設備のロータリーキルンの窯前部から燃料として可燃性廃棄物を投入するに際しては、製造されるセメントクリンカの品質に悪影響を与えない観点等から、火炎（フレーム）を形成させて燃料を瞬時に高温で完全燃焼させる必要があり、空気流等に乗せて可燃性廃棄物を吹き込むことが必須であった。
この際、可燃性廃棄物が廃プラスチック等の破砕品である場合には、付着性が無いことから容易に管路を介して空気圧送することも可能であるが、原油スラッジ、廃塗料等を主体とする廃油系廃棄物にあっては、高い粘稠性を有するものや、常温で流動性がないものもあり、管路を介した圧送が困難である。また、特許文献３に記載されているように、廃油をバイオマス等に吸収させ、ハンドリング性を改善させた後に管路を介して圧送する方法もあるが、この場合には、固体燃料の流動性、付着性等との調整を厳密に行う必要があり、廃油の種類によってはその作業が困難となる場合があった。
【０００５】
そこで、本件出願人は、上記課題を解決するため、セメント製造設備であるＮＳＰキルンの仮焼炉に着目し、該仮焼炉においては、火炎（フレーム）を形成させて燃料を瞬時に完全燃焼させる必要はなく、燃料の吹き込みを必須とはしないことから、ハンドリング性が悪く、付着性を有する廃油系固体燃料であっても、十分に燃料として利用可能であることを見出し、廃油系固体燃料を、セメント製造設備であるＮＳＰキルンの仮焼炉に投入し、該廃油系固体燃料をセメント製造用燃料として利用する方法を創案し、先に特許出願を行なった（特許文献４）。
【先行技術文献】
【特許文献】
【０００６】
【特許文献１】特開平８−２８３０５２号公報
【特許文献２】特開２００１−５８８５７号公報
【特許文献３】特開２００６−１９９７５０号公報
【特許文献４】特開２００８−２６０６４７号公報
【発明の開示】
【発明が解決しようとする課題】
【０００７】
上記した特許文献４に開示された技術にあっては、セメントクリンカの品質に全く影響を与えずに、容易に廃油系固体燃料を燃料として利用することができるものであった。
すなわち、特許文献４に開示された技術のように、セメント製造設備であるＮＳＰキルンの仮焼炉に廃油系固体燃料を投入した場合には、仮焼炉の内部はロータリーキルンの窯前部よりも周囲温度条件が低いので未燃分が出る可能性があるが、多少の未燃分が仮焼炉から出たとしても、最終的にはロータリーキルン内に入ってロータリーキルンの回転に従って窯前部側に徐々に移動しながら燃焼を完結するので、セメントクリンカの品質に影響を与える心配がない。また、多少燃焼の仕方に変動があったとしても、同じ理由により、セメントクリンカの品質に全く問題を与える心配がない。また、上記したように仮焼炉に投入される燃料の燃焼は、ロータリーキルンの窯前部から投入される燃料の燃焼条件に比して緩やかなものでよいため、空気圧送による燃料の吹き込みを必須とはしないことから、ハンドリング性が悪く、付着性を有する廃油系固体燃料であっても、その流動性、付着性等を厳密に調整することなく、２重のフラップダンパー、ロータリーフィーダ等を用いた機械的投入方法等を採用することにより容易に仮焼炉内に投入することができるものであった。
【０００８】
しかしながら、セメント製造設備の仮焼炉に廃油系固体燃料を投入する場合であっても、投入した廃油系固体燃料が良好に仮焼炉において燃焼し、未燃分が発生しないことが、未燃分の仮焼炉設備への固結で発生する設備メンテナンスの軽減の観点から好ましく、更には、石油、石炭等の代替燃料として、できるだけ多くの廃油系固体燃料を仮焼炉において良好に燃焼させることが、エネルギー効率の観点からも好ましいものであった。また、近年においては、処分を要請される廃油等の可燃性廃棄物の量が増え、より多くの廃油系固体燃料を仮焼炉に投入して処分することが期待されるようになってきた。
【０００９】
本発明は、上述した実情に鑑み成されたものであって、その目的は、廃油系固体燃料をセメント製造設備であるＮＳＰキルンの仮焼炉に投入し、該廃油系固体燃料をセメント製造用燃料として利用するにあたって、廃油系固体燃料を良好に且つ大量に燃料として燃焼させ得る方法を提供することにある。
【課題を解決するための手段】
【００１０】
本発明者等は、上記した目的を達成すべく鋭意研究を進めた結果、仮焼炉は、燃焼用空気の供給や炉内ガスの気流等の条件が、燃料を燃焼させるのに最適である位置にバーナーの燃料出口が設置されていることに着目し、該バーナーの燃料出口の上方にあたる仮焼炉天井部から廃油系固体燃料を投入すれば、バーナーの燃料出口より噴出された微粉炭等のバーナー燃料と同様に、最適な燃焼条件の下に廃油系固体燃料が投入されることとなり、廃油系固体燃料を良好に且つ大量に燃料として燃焼させることができることを見出し、本発明を完成させた。
【００１１】
即ち、本発明は、次の〔１〕〜〔４〕に記載の廃油系固体燃料の利用方法とした。
〔１〕廃油と廃油吸収材とを混合し、スクリューコンベヤー、バケットエレベーター、ベルトコンベヤー等の機械式搬送装置による搬送及び２重のフラップダンパー、ロータリーフィーダ等のシール機能を有する機械式投入装置による投入が可能なハンドリング性に調整した廃油系固体燃料を、スクリューコンベヤー、バケットエレベーター、ベルトコンベヤー等の機械式搬送装置によって搬送し、セメント製造設備であるＮＳＰキルンのＲＳＰ式仮焼炉（「ＲＳＰ」は商標）に２重のフラップダンパー、ロータリーフィーダ等のシール機能を有する機械式投入装置を用いて投入し、該廃油系固体燃料をセメント製造用燃料として利用するにあたって、廃油系固体燃料の上記ＲＳＰ式仮焼炉への投入位置を、上部にバーナー付き燃焼炉が設けられ、該燃焼炉の下方に絞り部を介して燃焼炉の径より大径の仮焼炉本体が設けられているＲＳＰ式仮焼炉において、上記燃焼炉に設置されたバーナーの燃料出口の上方にあたる燃焼炉天井部とするとともに、該投入位置である燃焼炉天井部の直下であって、上記バーナーの燃料出口の上方にあたる燃焼炉内部に分散棒を設置し、該分散棒によって投入された廃油系固体燃料を燃焼炉内部において分散させることを特徴とする、廃油系固体燃料の利用方法。
〔２〕上記機械式投入装置の投入シュートが、廃油系固体燃料の投入角度が５７度以上となるように上記燃焼炉天井部に設置されていることを特徴とする、上記〔１〕に記載の廃油系固体燃料の利用方法。
〔３〕上記廃油が、廃ワイヤソーオイル、オイルスラッジ、廃油再生残渣、廃切削油、廃研磨油、廃インク、廃溶剤、廃グリース、廃植物油、廃食用油のいずれか１種以上であることを特徴とする、上記〔１〕又は〔２〕に記載の廃油系固体燃料の利用方法。
〔４〕上記廃油吸収材が、廃畳の破砕物、木材チップ、廃ポリマー、廃スポンジ、紙屑、各種汚泥のいずれか１種以上であることを特徴とする、上記〔１〕〜〔３〕のいずれかに記載の廃油系固体燃料の利用方法。
【発明の効果】
【００１２】
上記した本発明に係る廃油系固体燃料の利用方法によれば、セメントクリンカの品質に全く影響を与えずに、容易に、しかも大量の廃油系固体燃料を仮焼炉の燃料として使用することができる。
【図面の簡単な説明】
【００１３】
【図１】本発明に係る廃油系固体燃料の使用方法を実施する設備の全体を概念的に示した図である。
【図２】本発明において廃油系固体燃料を投入するＲＳＰ式の仮焼炉を概念的に示した図である。
【図３】図２のＩ−Ｉ線に沿う部分の拡大断面図である。
【図４】図２のII−II線に沿う部分の拡大断面図である。
【発明を実施するための形態】
【００１４】
以下、上記した本発明に係る廃油系固体燃料の利用方法の好適な実施の形態を、図面等に基づいて詳細に説明する。
図１は、本発明に係る廃油系固体燃料の利用方法を実施する設備の全体を概念的に示した図である。
【００１５】
本発明において使用する廃油系固体燃料は、廃油類と廃油吸収材との混合物である。
廃油類としては、廃ワイヤソーオイル、オイルスラッジ（例えば重油スラッジ、原油スラッジ等）、廃油再生残渣（廃油を蒸留設備等を用いて再生した後に残る残渣）、廃切削油、廃研磨油、廃インク、廃溶剤、廃グリース、廃植物油、廃食用油等が挙げられ、これらを単独でも、またこれらの二種以上を混ぜたものであってもよい。
廃油吸収材としては、廃畳の破砕物、木材チップ、廃ポリマー、廃スポンジ、紙屑、各種汚泥等を用いることができ、これらの廃油吸収材と上記廃油類とを混合し、流動性、付着性等のハンドリング性を改善した混合物とする。
【００１６】
廃油類と廃油吸収材との混合割合は、混合する両者の種類、性状等により異なり、一概に規定することはできないが、混合物の性状の目安としては、スクリューコンベヤー、バケットエレベーター、ベルトコンベヤー等の機械式搬送装置にて搬送が可能であり、かつ２重のフラップダンパー、ロータリーフィーダ等の機械式投入装置によって投入が可能な流動性、付着性等のハンドリング性を備えた混合物とする。
【００１７】
図１において示した設備では、廃畳Ａと、木屑Ｂとを廃油吸収材として用い、これらの廃油吸収材を破砕機１によって適度な粒径に破砕した後、廃油類Ｏと破砕した廃油吸収材とを混合機２によって混合し、上記した機械式搬送及び機械式投入が可能な必要最低限のハンドリング性を備えた廃油系固体燃料Ｘとしている。
【００１８】
廃油類と廃油吸収材とを混合することによりハンドリング性が改善された廃油系固体燃料Ｘは、車両、好ましくは天蓋付密閉車両３に積み込まれ、セメント製造設備の近傍まで運ばれる。セメント製造設備の近傍まで運ばれた廃油系固体燃料Ｘは、ホッパー４に投入され、スクリューコンベヤー５、バケットエレベーター６、ベルトコンベヤー７等の機械式搬送装置にてセメント製造設備の仮焼炉まで搬送される。
なお、上記廃油類と廃油吸収材との混合設備とセメント製造設備とが近接している場合には、車両による輸送は行う必要はない。
【００１９】
本発明において廃油系固体燃料Ｘを燃料として利用する設備は、セメント製造設備であるＮＳＰキルンの仮焼炉である。
ＮＳＰキルン１０は、図１に示したように、複数段、例えば４段のサイクロンＣ１，Ｃ２，Ｃ３，Ｃ４からなるサスペンションプレヒータ１１と、このサスペンションプレヒータ１１に付設された仮焼炉１２と、該仮焼炉１２及び最下段のサイクロンＣ１に入口フッド１３を介して接続されたロータリーキルン１４と、このロータリーキルン１４の出口部に連結されたクーラ１５とから構成されている。そして、原料投入口１６より投入されたセメント原料は、サスペンションプレヒータ１１のサイクロンにおいて順次予熱された後、仮焼炉１２に導入されて脱炭酸等の仮焼反応が行われ、その後、入口フッド１３を経由してロータリーキルン１４においてセメントクリンカとして焼成される。ロータリーキルン１４から排出されたセメントクリンカは、クーラ１５において急冷され、最終的なセメントクリンカとなる。なお、ＫＢはロータリーキルン１４に設けられたバーナーである。
【００２０】
上記した仮焼炉には、セメント原料中の石灰石を脱炭酸させる熱量を供給するため、微粉炭等の燃料を燃焼するための仮焼炉用バーナーが設置されている。本発明では、この仮焼炉用バーナーの燃料出口の上方にあたる仮焼炉天井部から廃油系固体燃料を投入することを特徴としている。これは、仮焼炉では、燃焼用空気の供給や炉内ガスの気流等の条件が、燃料を燃焼させるのに最適である位置にバーナーの燃料出口が設置されているため、このバーナーの燃料出口の上方にあたる仮焼炉天井部から廃油系固体燃料を投入すれば、バーナーの燃料出口より噴出された微粉炭等のバーナー燃料と同様に、最適な燃焼条件の下に廃油系固体燃料が投入されることとなり、廃油系固体燃料を良好に且つ大量に燃料として燃焼させることができるためである。
【００２１】
サスペンションプレヒータ１１に付設される上記仮焼炉１２には、種々の形式のものがあるが、本発明においては、特にＲＳＰ式の仮焼炉〔スワール（Ｓ）炉、「ＲＳＰ」は商標〕に廃油系固体燃料Ｘを燃料として投入することが、燃焼効率の観点等から好ましいため、ＲＳＰ式仮焼炉を用いる。
このＲＳＰ式の仮焼炉１２は、図１に示したように、サイクロンＣ２で捕集されたセメント原料が仮焼炉１２に投入され、該仮焼炉１２における旋回燃焼方式により効率よく加熱されて脱炭酸が進められた後、仮焼炉１２から下方に排出されて混合室１７に投入され、混合室１７において高温のキルン排ガスと混合され、セメント原料は８５％以上の脱炭酸率に達し、その後、サイクロンＣ１で捕集されてロータリーキルン１４内に投入される構成のものである。
【００２２】
上記仮焼炉１２の構成を更に詳細に説明すると、図２に示したように、仮焼炉１２は、上部にバーナーＳＢ付き燃焼炉１２ａが設けられており、該燃焼炉１２ａの下方に絞り部１２ｂを介して仮焼炉本体１２ｃが設けられている。燃焼炉１２ａの径は仮焼炉本体１２ｃの径より小さく形成されている。そして、燃焼炉１２ａと仮焼炉本体１２ｃには、図１〜図４に示したように、クーラ１５に接続された空気送出管１８から分岐する抽気ダクト１８ａ，１８ｂが接線方向にそれぞれ接続されている。また、仮焼するセメント原料を該仮焼炉１２内に投入する原料シュート１９が、サイクロンＣ２の下端と上記仮焼炉本体１２ｃの抽気ダクト１８ｂとの間に接続されている。燃焼炉１２ａでは、バーナーＳＢにおいて燃料である微粉炭が焚かれ、この微粉炭の燃焼は、該燃焼炉１２ａ内に抽気ダクト１８ａを介して接線方向に吹き込まれる空気によって良好に且つ安定した状態に維持される。サイクロンＣ２で捕集されたセメント原料は、原料シュート１９を介して仮焼炉本体１２ｃの抽気ダクト１８ｂに投入され、熱風に浮遊懸濁されて仮焼炉本体１２ｃ内に吹き込まれ、旋回流に乗って炉内に分散されると共に加熱され、効率よく脱炭酸が進められる。混合室１７は、サスペンションプレヒータの立上がり管の一部を拡大して設けられたもので、下部からきた高温のキルン排ガスと、側部から仮焼炉１２より排出されたセメント原料及び排ガスが導入され、ここで、再加熱されて８５％以上に脱炭酸されたセメント原料は、サイクロンＣ１で捕集されて入口フッド１３を介してロータリーキルン１４内に投入される。なお、各図面中、実線の矢印はセメント原料の流れを示し、破線の矢印はガスの流れを示している。
【００２３】
本発明においては、上記構成のＲＳＰ式の仮焼炉１２の燃焼炉１２ａに設置したバーナーＳＢの燃料出口の上方にあたる仮焼炉天井部、正確に言えばＲＳＰ式仮焼炉１２の燃焼炉１２ａの天井部１２ｄ（以下、かかる意味の仮焼炉天井部を燃焼炉天井部１２ｄと記載する。）から廃油系固体燃料Ｘを投入する。 この廃油系固体燃料Ｘの投入は、スクリューコンベヤー５、バケットエレベーター６、ベルトコンベヤー７等の機械式搬送装置にてセメント製造設備の仮焼炉１２まで搬送された廃油系固体燃料Ｘを、２重のフラップダンパー２０等のシール機能を有する機械式投入装置を介して上記燃焼炉天井部１２ｄから仮焼炉内に自然落下により行なうことが好ましい。
【００２４】
また、上記２重のフラップダンパー２０等のシール機能を有する機械式投入装置を介して廃油系固体燃料Ｘを仮焼炉内に投入するに際し、機械式投入装置のシュート２０ａが、廃油系固体燃料Ｘの投入角度αが５７度以上、より好ましくは６０度以上となるように上記燃焼炉天井部１２ｄに設置されていることが好ましい。これは、廃油系固体燃料Ｘの投入角度αが５７度に満たない場合には、廃油系固体燃料Ｘの落下速度が遅く、シュート２０ａ内に堆積する虞があると共に、シュート２０ａ内において着火してしまう懸念があるためである。
【００２５】
また、上記機械式投入装置のシュート２０ａ直下の仮焼炉内部に、投入された廃油系固体燃料Ｘを分散させる分散棒２１を設置することが好ましい。かかる分散棒２１は、断面十字形の鋼材等でよく、該分散棒２１の設置により、高粘性でダマや塊状となっていた廃油系固体燃料Ｘを分解し、分散させ、抽気ダクト１８ａから導入される高速旋回気流によって効率的に燃焼させることが可能となる。
なお、シール機能を有する機械式投入装置として、２重のフラップダンパー２０に代えてロータリーフィーダ等を用いることもできる。
【００２６】
上記のようにして仮焼炉の燃焼炉１２ａ内に投入された廃油系固体燃料Ｘは、燃焼してセメント原料の仮焼に寄与することとなる。特に、ＲＳＰ式の仮焼炉１２の場合には、図３及び図４に示したように、炉内に抽気ダクト１８ａ，１８ｂから導入される燃焼用二次空気によってそれぞれ高速旋回気流が形成されているため、投入した廃油系固体燃料Ｘが例え凝集した塊状物となっている場合でも、該高速旋回気流によって炉内に分散されると共に加熱され、しかも旋回しながら長時間にわたって炉内に滞留することとなるため、効率よく燃焼してセメント原料の仮焼に寄与することとなる。また、例え多少の未燃分が仮焼炉１２から出たとしても、最終的にはロータリーキルン１４内に入って該ロータリーキルン１４の回転に従って窯前部側に徐々に移動しながら燃焼を完結するので、セメントクリンカの品質に全く影響を与える心配がない。
【００２７】
上記したようなことから、ＲＳＰ式の仮焼炉１２の燃焼炉１２ａに設置したバーナーＳＢの燃料出口の上方にあたる燃焼炉天井部１２ｄから廃油系固体燃料Ｘを投入する場合には、特にハンドリング性が悪く、付着性を有する廃油系固体燃料Ｘであっても、十分に燃料として利用可能であり、廃油系固体燃料Ｘを、厳格なハンドリング性の調整をすることなく、容易に、しかも大量にセメント製造用燃料として利用することが可能となる。
【００２８】
以上、本発明に係る廃油系固体燃料の利用方法の好適な実施の形態を説明したが、本発明は、何ら既述の実施の形態に限定されず、特許請求の範囲に記載した本発明の技術的思想の範囲内において、種々の変形及び変更が可能であることは当然である。
【符号の説明】
【００２９】
１ 破砕機
２ 混合機
３ 天蓋付密閉車両
４ ホッパー
５ スクリューコンベヤー
６ バケットエレベーター
７ ベルトコンベヤー
１０ ＮＳＰキルン
１１ サスペンションプレヒータ
Ｃ１，Ｃ２，Ｃ３，Ｃ４ サイクロン
１２ 仮焼炉
ＳＢ 仮焼炉用バーナー
１２ａ 燃焼炉
１２ｂ 絞り部
１２ｃ 仮焼炉本体
１２ｄ 燃焼炉天井部
１４ ロータリーキルン
ＫＢ キルン用バーナー
１５ クーラ
１６ 原料投入口
１７ 混合室
１８ 空気送出管
１８ａ，１８ｂ 抽気ダクト
１９ 原料シュート
２０ ２重のフラップダンパー
２０ａ シュート
２１ 分散棒
Ａ 廃畳
Ｂ 木屑
Ｏ 廃油類
Ｘ 廃油系固体燃料
【図１】
0005634726.tif 000002
【図２】
0005634726.tif 000003
【図３】
0005634726.tif 000004
【図４】
0005634726.tif 000005